(57)【要約】【課題】    効率的な金属イオンの溶出を長期に亘り維持持続させることができる金属イオン水の製造方法。【解決手段】    処理すべき水中に没することで金属イオン水を製造する方法であって炭素以下の電気陰性度や電位の差を持ちイオン化傾向のある金属と炭素を密着固形一体化した構成で接触境界部分が水と接する状態で三位一体露出形成されている構成。【選択図】なし【特許請求の範囲】
【請求項１】
電気陰性度及び／又は電位の異なる少なくとも２種類以上の物質を互いに密着させた状態に圧縮固形一体化し、処理すべき水中に没する状態とすることにより、前記少なくとも２種類以上の物質のうち、電気陰性度及び／又は電位の低い方でイオン化性のある物質はイオン化反応して、金属イオンを永続して水中に溶出させるようにしたことを特徴とする金属イオン水の製造方法。
【請求項２】
前記異なる物質のうち、電気陰性度及び／又は電位の高い方の物質をコークス、黒鉛、他等の炭素を含む粉末または、粒体または、塊または、繊維で構成し、これが電気陰性度の低いイオン化性のある物質の金属の粉や粒や塊と混合混在状態で圧縮固形ブリケット化することにより、前記異なる物質が絡み合って密着した接触境界部分が無数形成されていることを特徴とする請求項１に記載の金属イオン水の製造方法。
【請求項３】
前記異なる物質にうち、電気陰性度及び／又は電位の低い方でイオン化性のある物質が鋳物クズまたは鉄鋼スラグであることを特徴とする請求項１〜２のいずれか１項に記載の金属イオンの製造方法。
【請求項４】
前記異なる物質のうち、電気陰性度及び／又は電位の低い方でイオン化性のある物質が金属ダストであることを特徴とする請求項１〜２のいずれか１項に記載の金属イオン水の製造方法。
【請求項５】
前記異なる物質のうち、電気陰性度及び／又は電位の低い方でイオン化性のある物質が金属切粉または金属研削スラジであることを特徴とする請求項１〜２のいずれか１項記載の金属イオン水製造方法。
【請求項６】
前記異なる物質のうち、電気陰性度および／又は電位の高い方の物質が、炭化焼結処理することにより炭素となる物質で炭化焼結処理するまえは、細かく分割された電気陰性度及び／又は電位の低い方でイオン化性のある金属物質を固形一体化する為のつなぎの役目をするバインダー剤を使っていることを特徴とする請求項１〜５記載の金属イオン水製造方法。
【発明の詳細な説明】
【技術分野】
【０００１】  本発明は、金属イオン水の製造方法であり、水槽、河川、池、湖、海、プール、クーリングタワー、風呂、トイレのロータンク、加湿器、花器および水の配管等々に使用される水の他に、例えば、医科や医療器具等の殺菌洗浄処理に用いられる洗浄水の製造に適用される水に関する。
【背景技術】
【０００２】  従来この種の水処理としては気泡コンクリート製漁礁本体の中空部に鉄と鉄に比べ電位の高い金属、例えばグラファイト、活性炭等の炭との混合物を充填して海水中に沈めることにより、鉄イオンを効率的に溶出させるようにした技術が開示されている（例えば、特許文献１参照）。【０００３】
【特許文献１】特開平６−２０６８０４号公報（明細書（３）項、図１）
【発明の開示】
【発明が解決しようとする課題】
【０００４】  しかしながら、上述の従来例にあっては、鉄と炭素との混合物を気泡コンクリート製漁礁本体の中空部内に単に充填させた構造であったため、鉄と炭素が接触している部分において、最初のうちは鉄イオンが溶出されるが、鉄イオンの溶出により鉄が小さくなると炭素との接触が解除され、そうすると、鉄の表面に酸化被膜が形成されてそれ以後の鉄イオンの効率的な溶出が停止されると共に、分離した鉄が海流等によって中空部から流れ出し、鉄単独の状態になるもので、これにより、効率的な鉄イオンの溶出を持続させることができないという問題があった。【０００５】  本発明はかかる従来の問題点を解決するためになされたものであって、その目的とするところは、効率的な金属イオンの溶出を長期に亘りコンスタントに持続させることができる安価な金属イオン水の製造方法を提供することにある。
【課題を解決するための手段】
【０００６】  前記目的を達成する手段として、請求項１記載の金属イオン水の製造方法は、電気陰性度及び／又は電位の異なる少なくとも２種類以上の物質を互いに密着させた状態に圧縮固形一体化し、処理すべき水中に没する状態とすることにより、前記少なくとも２種類以上の物質のうち、電気陰性度及び／又は電位の低い方でイオン化性のある物質はイオン化して、金属イオンを永続的に水中に溶出させるようにしたことを特徴とする手段とした。【０００７】クス、黒鉛、他等の炭素を含む粉体または、粒体または、塊または、繊維で構成し、これが電気陰性度の低い方の金属物質の粉や粒や塊と混合混在した状態で圧縮固形ブリケット化することにより、前記異なる物質の絡み合って密着した接触境界部分が無数形成されることで、処理すべき水中に没すると、炭素は電気陰性度が元素の周期率表の中で金属物質と比較しても高い為に組合わせる金属物質の反応促進にすぐれ、効率よく永続的に金属イオン水を製造することができるようになる。【００１４】  以上のように、この金属イオン水の製造方法にあっては、異なる物質として炭素を用いることでより多くの種類の金属物質を混合組合せることが可能となって、より多くそれらの金属イオン水ができるという効果が得られる。【００１５】  本発明請求項３記載の金属イオン水の製造方法では、上述のように、異なる物質のうち電気陰性度及び／又は電位の低い方の物質を鋳物クズまたは鉄鋼スラグとすることにより、密着した物質の接触境界部分に局部電池が生まれると共に鋳物または鉄鋼スラグそれ自体に混ざっている異なる物質間の電気陰性度及び／又は電位の差が生じることで、処理すべき水中に没すると、永続的に金属イオン水を製造することができるという効果が得られる。【００１６】  本発明請求項４記載の金属イオン水の製造方法では、上述のように、異なる物質のうち電気陰性度及び／又は電位の低い方の物質を金属ダストとすることにより、固形密着した表面は雑多な金属微粉末の集合体となって露出しているので電気陰性度および／又は電位の差が生じた部分と併せて水中の遊離酸素及びその他と反応して、処理すべき水中において効率的で速い金属イオン水の製造ができるという効果が得られる。電気陰性度及び／又は電位の低い物質が純金属の集塵ダストにおいても上記と同様の効果が得られる。【００１７】  本発明請求項５記載の金属イオン水の製造方法では、上述のように、異なる物質のうち電気陰性度及び／又は電位の低い方の物質を金属切粉または金属研削スラジとすることにより、圧縮固形ブリケット化する場合よく絡み合い密着してはずれない効果が得られるので長期的に永続し、金属イオンの溶出があっても固形状態の密着が維持できると共に切粉や研削スラジなので金属の選別が容易となり、同一種の金属のみを選択することも可能となる効果が得られる。
従って、処理すべき水中に没する状態とすると、固形一体化の維持と長期的な金属イオンの溶出が可能で永続的な金属イオン水の製造をする効果が得られる。【００１８】  本発明請求項６記載の金属イオン水の製造方法では、上述のように異なる物質のうち、電気陰性度及び／又は電位の高い方の物質が炭化焼結処理することにより炭素となる物質で、炭化焼結処理するまえは細かく分割された電気陰性度及び／又は電位の低い方の金属物質を固形一体化する為のつなぎの役目をするバインダー剤を使うことにより、全ての金属物質が簡単に固形化できる効果が得られると同時に、このバインダー剤に熱を加えて炭化焼結処理すると電気陰性度及び／又は電位の低い方の金属物質が密着結合状態で一体化する効果が得られる。【００１９】  以上のように、この金属イオン水の製造方法にあっては、密着性の向上と炭素は電気陰性度が元素の周期率表の中で金属物質と比較しても高いので、組合わせる金属物質の反応促進にすぐれ、効率よく組合わせた金属物質が消滅するまで永続的な反応をおこすことにより、処理すべき水中に没すると効率よく金属イオン水を製造する効果が得られる。
【発明を実施するための最良の形態】
【００２０】  以下、本発明の実施例を詳細に説明する。
【実施例１】
【００２１】    この実施例１の金属イオン水の製造方法は、異なる少なくとも２種類以上の物質の電気陰性度及び／又は電位の差を利用するものであり、化学結合において原子が結合している電子を引きつける能力を電気陰性度といい、電気陰性度が大きい原子ほど、電子を引きつけやすくその為に数値そのものよりも、その差が重要であり、電位差によってもイオンの溶出も異なるが、圧縮固形一体化すればより一層電気は流れ易くなり電気陰性度及び／又は電位の低い方の金属は電子を失い易くなって反応被膜を形成することなく処理すべき水中に金属イオンを永続的に溶出する構成としたものである。
【実施例２】
【００２２】  この実施例２の金属イオン水の製造方法は、前記実施例１において、混合混在させる物質に炭素を用いたことにより、多くの金属物質と組合わせることが可能となる。つまり、炭素は元素の周期表において、金属物質と比較して電気陰性度が大きいので、化学結合をする能力があって混合相手の選択性をもたなくなり、処理すべき水中に金属イオンを効率的に永続して溶出させる構成としたものである。
【実施例３】
【００２３】  この実施例３の金属イオン水の製造方法は、前記実施例１〜２において、鋳物クズや鉄鋼スラグの物質それ自体の中に電気陰性度及び／又は電位の異なる物質を包含していると同時に分割された状態の物質を圧縮固形一体化するのでその分割断面が無数に存在する、その中に処理すべき水が浸透して効率の良い反応が起こると同時に炭素など電気陰性度及び／又は電位の高い物質と組み合わせることで、処理すべき水中に金属イオンを効率的に長期に亘って溶出させる構成とした。
【実施例４】
【００２４】  この実施例４の金属イオン水の製造方法は、前記実施例１〜２において、この物質そのものが金属ダストである為さまざまな物質が混合された状態でありかつ微粉体であることから表面積が大きく、圧縮固形ブリケット化すると電気陰性度及び／又は電位の差だけでなく、水中の物質例えば遊離している酸素などと反応して、速くそして効率的に金属イオンを処理すべき水中に溶出させる構成とした。
【実施例５】
【００２５】  この実施例５の金属イオン水の製造方法は、前記実施例１〜２において、金属切粉や研削スラジは金属物質を成形加工時に発生するある程度の粒度をもつ物質なので、選別が可能となるという点と前記実施例３と同様、物質それ自体の中に電気陰性度及び／又は電位の異なる物質を包含している場合があるので、分割された状態の物質を圧縮固定ブリケット化すると処理すべき水中で効率よく絡み合った状態を維持するし、これに炭素など電気陰性度及び／又は電位の高い物質を混合混在して、効率のよい金属イオンの溶出ができる構成とした。
【実施例６】
【００２６】  この実施例６の金属イオン水の製造方法は前記実施例１〜２において電気陰性度及び／又は電位の高い方の物質を炭素とすることとし、それは炭化焼結することにより炭素となりますが、炭素となるまでは少なくとも１種類以上の電気陰性度及び／又は電位が炭素よりも低い物質で粉や粒や塊や繊維などの状態に細かく分割された物質をつなぎ固形一体化するバインダー剤を使う構成とした。【００２７】  従って、この実施例６では分割された物質を例えばデンプン糊や樹脂接着剤等のバインダー剤と混練接合し、炭化炉に入れてバインダー剤を炭化焼結処理すると、全ての物質は炭素と密着した固形一体化された接合状態となり、これを処理すべき水中に没すると電気陰性度の一番高い炭素と接合状態を維持するので、他の物質は消滅するまで金属イオンを溶出する、固形化したものがバラバラになっても炭素が密着接合し、処理すべき水中で金属イオンを溶出しつづける構成をした。【００２８】  以上本発明の実施例を説明してきたが、本発明は上述の実施例に限られるものではなく、発明要旨を逸脱しない範囲の設計変更等があっても本発明に含まれる。
例えば、炭素以下の電気陰性度及び／又は電位の差のある物質の組合せであれば、複数混合することができ、元素の周期表にある金属物質は使用できる。合金鉄、合金鋳物、ステンレス、真鍮、ブロンズ等々合金物質も空き缶も使用できる。【００２９】  また、実施例３〜５において、いずれも固形化のためにバインダーを用いますが特に水溶性で接着性のあるデンプン糊やその他公知の水溶性バインダーを使って混練しつないだものを圧縮固形ブリケット化するものとする。【００３０】  さらに、その上、上述の圧縮固形ブリケット化したものにドロドロ状の粘土液などを入れ、ブリケット内の隙間に粘土で埋めるよう含浸させた後、水分を抜いて乾燥させ固形化することもできる。【００３１】  また実施例６ではバインダー剤としてデンプン糊や樹脂接着剤を例にしましたが、金属を接着しかつ炭化焼結処理して炭素となり密着接合を維持するバインダーの役目を果たす物質なら全て使用可能である。【００３２】  特に、電気陰性度及び／又は電位の差のある物質の組合せで炭素と電池を形成すると共に水との反応性がありイオン化傾向の大きい金属、例えばマグネシウム（マグネシウム合金も含む）またはカルシウムを圧縮固形一体化したものを処理すべき水中に没すると、還元水を作ると同時に水素を発生する。